(57)【要約】【課題】  コスト的なデメリットや回路の複雑化を招くことなく、オンからオフへの変化を遅延させることのできるマイクロスイッチを提供する。【解決手段】  可動子８は可撓性を有する金属板からなり、先端部には下方に屈曲された押圧部８ａが設けられ、中途部に一部を切り起こしては斜め上方に屈曲された可動ばね８ｂが設けられているとともに、開口部８ｃが設けられている。可動ばね６ｂは、摺動子３の下端部に当接しており、これにより摺動子３は突出する方向に付勢されている。端子ばね９には、自由端部側の下面には可動接点１０が突設されている。端子７には、可動接点１０と対向する部位に固定接点１１が突設されている。遅延用弾性部材５の時定数は、可動ばね８ｂの時定数よりも大きく、可動ばね８ｂが開口部８ｃ内に位置する下限状態から、図に示した初期状態に復帰するまでに要する時間を遅延させ得る弾性特性を有している。【選択図】    図２
0003107551.tif 000002
【実用新案登録請求の範囲】
【請求項１】
スイッチ本体に一端部を固定されて自由端部を有するレバーと、該レバーの自由端部を一方側に付勢する付勢手段とを備え、該付勢手段に抗して、前記レバーの自由端部が一方側から他方側に変位するに伴ってオフからオンに変化し、該他方側に定位することによりオン状態を維持し、前記付勢手段の付勢により他方側から一方側に変位するに伴ってオンからオフに変化するとともに、該オンからオフへの変化にヒステリシスを付与することが可能なマイクロスイッチであって、
前記レバーの前記他方側から一方側への変位速度を低下させる遅延手段を設けたことを特徴とするマイクロスイッチ。
【請求項２】
前記付勢手段は第１の弾性部材であり、前記遅延手段は、前記レバーと前記スイッチ本体とに接続されて介在し、前記第１の弾性部材よりも時定数の大きい第２の弾性部材であることを特徴とする請求項１記載のマイクロスイッチ。
【請求項３】
前記第２の弾性部材は、低反発ポリウレタンであることを特徴とする請求項２記載のマイクロスイッチ。
【請求項４】
スイッチ本体に一端部を固定されて自由端部を有するレバーと、該レバーの自由端部を一方側に付勢する付勢手段とを備え、該付勢手段に抗して、前記レバーの自由端部が一方側から他方側に変位するに伴ってオフからオンに変化し、該他方側に定位することによりオン状態を維持し、前記付勢手段の付勢により他方側から一方側に変位するに伴ってオンからオフに変化するとともに、該オンからオフへの変化にヒステリシスを付与することが可能なマイクロスイッチであって、前記レバーの前記他方側から一方側への変位速度を低下させる遅延手段を設けたマイクロスイッチを紙感知スイッチとして有することを特徴とするシュレッダー。
【請求項５】
前記マイクロスイッチの付勢手段は第１の弾性部材であり、前記遅延手段は、前記レバーと前記スイッチ本体とに接続されて介在し、前記第１の弾性部材よりも時定数の大きい第２の弾性部材であることを特徴とする請求項４記載のシュレッダー。
【請求項６】
前記マイクロスイッチの第２の弾性部材は、低反発ポリウレタンであることを特徴とする請求項５記載のシュレッダー。
【考案の詳細な説明】
【技術分野】
【０００１】
本考案は、例えばシュレッダーにおいて紙感知スイッチとして用いられるマイクロスイッチ及びシュレッダーに関する。
【背景技術】
【０００２】
従来、一般的なマイクロスイッチとして図９に示すものが公知である。すなわち、このマイクロスイッチ５１は、モールド成形されたボディ５２を備え、このボディ５２の上面には摺動子５３が遊嵌されているとともに、レバー５４の一端部が固定されている。摺動子５３は、ボディ５２の内部に配置されたばねにより突出する方向に付勢されている。前記レバー５４は上下方向に回動自在であって自由端部５４ａが設けられており、基部下面が前記摺動子５３の上端に当接した状態で斜状に延在している。つまり、レバー５４は摺動子５３を介して前記ばねの付勢を受けることにより、（Ａ）に示した初期位置に付勢されている。なお、ボディ５２の下面には一対の端子５５、５６が突設されている。
【０００３】
一方、ボディ５２の内部には、スイッチ５７が配置されている。該スイッチ５７は、レバー５４の自由端部５４ａが（Ａ）に示す初期位置から（Ｂ）に示す下限位置に変位し、摺動子５３が下動するに伴ってオフからオンに変化し、下限位置に定位することによりオン状態を維持する（Ｃ）。また、レバー５４が（Ｃ）に示す下限位置から（Ｄ）に示す初期位置に復帰し、摺動子５３が上動するに伴ってオンからオフに変化するように構成されている（例えば、特許文献１参照。）。
【特許文献１】特開昭４９−８７７５号公報
【考案の開示】
【考案が解決しようとする課題】
【０００４】
前述したマイクロスイッチ５１は、図１０に示すように、例えばシュレッダーにおいて紙５８を検知するためのスイッチとして用いられる。同図において、５９、６０は紙裁断用の刃であり、マイクロスイッチ５１によりオン・オフ制御される図外のモータにより駆動される。
【０００５】
しかして、同図（Ｂ）に示すように、紙５８がマイクロスイッチ５１のレバー５４に接触してこれがオンとなると、モータが回転を開始して刃５９、６０が回転駆動され、図１１（Ａ）に示すように、紙５８が裁断されていく。そして、紙がレバー５４上を通過し終わると、マイクロスイッチ５１がオフとなってモータ及び刃５９、６０が停止する。このとき、マイクロスイッチ５１にあっては、図９（Ｅ）のタイムチャートにも示すように、レバー５４を開放すると即時にスイッチ５７がオフとなって、モータへの電流が遮断される。このため、図１１（Ｂ）に示すように、刃５９、６０間に紙５８が挟まったままの状態でモータが停止してしまう不具合が生ずる。無論、カム機構を設けたり、タイマーを用いてモータのオフを遅延させれば、前記不具合の発生を回避することは可能であるが、かかる手段ではコスト的なデメリットや回路の複雑化が生じてしまう。
【０００６】
本考案は、かかる従来の課題に鑑みてなされたものであり、コスト的なデメリットや回路の複雑化を招くことなく、オンからオフへの変化を遅延させることのできるマイクロスイッチを提供することを目的とする。
【課題を解決するための手段】
【０００７】
前記課題を解決するため請求項１記載の考案にあっては、スイッチ本体に一端部を固定されて自由端部を有するレバーと、該レバーの自由端部を一方側に付勢する付勢手段とを備え、該付勢手段に抗して、前記レバーの自由端部が一方側から他方側に変位するに伴ってオフからオンに変化し、該他方側に定位することによりオン状態を維持し、前記付勢手段の付勢により他方側から一方側に変位するに伴ってオンからオフに変化するとともに、該オンからオフへの変化にヒステリシスを付与することが可能なマイクロスイッチであって、前記レバーの前記他方側から一方側への変位速度を低下させる遅延手段を設けてある。したがって、レバーの他方側から一方側への変位速度が低下すると、オンからオフへの変化時におけるヒステリシスが遅延制御されて、スイッチのオンからオフへの変化が遅延する。よって、回路の複雑化を招くタイマーを用いることなく、スイッチのオンからオフへの変化を遅延させることができる。
【０００８】
また、請求項２記載の考案にあっては、前記付勢手段は第１の弾性部材であり、前記遅延手段は、前記レバーと前記スイッチ本体とに接続されて介在し、前記第１の弾性部材よりも時定数の大きい第２の弾性部材である。したがって、第１及び第２の弾性部材を用いる簡易な構成により、スイッチのオンからオフへの変化を遅延させることができる。
【０００９】
また、請求項３記載の考案にあっては、前記第２の弾性部材は、低反発ポリウレタンである。したがって、安価な低反発ポリウレタンを前記レバーと前記スイッチ本体の間に介在させてレバーに接続せる低廉な構成により、オンからオフへの変化を遅延させることが可能となる。
【００１０】
また、請求項４記載の考案に係るシュレッダーにあっては、スイッチ本体に一端部を固定されて自由端部を有するレバーと、該レバーの自由端部を一方側に付勢する付勢手段とを備え、該付勢手段に抗して、前記レバーの自由端部が一方側から他方側に変位するに伴ってオフからオンに変化し、該他方側に定位することによりオン状態を維持し、前記付勢手段の付勢により他方側から一方側に変位するに伴ってオンからオフに変化するとともに、該オンからオフへの変化にヒステリシスを付与することが可能なマイクロスイッチであって、前記レバーの前記他方側から一方側への変位速度を低下させる遅延手段を設けたマイクロスイッチを紙感知スイッチとして有する。したがって、レバーの他方側から一方側への変位速度が低下すると、オンからオフへの変化時におけるヒステリシスが遅延制御されて、スイッチのオンからオフへの変化が遅延する。よって、回路の複雑化を招くタイマーを用いることなく、シュレッダーにおける紙感知スイッチのオンからオフへの変化を遅延させることができる。
【００１１】
また、請求項５記載の考案に係るシュレッダーにあっては、前記マイクロスイッチの付勢手段は第１の弾性部材であり、前記遅延手段は、前記レバーと前記スイッチ本体とに接続されて介在し、前記第１の弾性部材よりも時定数の大きい第２の弾性部材である。したがって、第１及び第２の弾性部材を用いる簡易な構成により、スイッチのオンからオフへの変化を遅延させることができる。
【００１２】
また、請求項６記載の考案に係るシュレッダーにあっては、前記マイクロスイッチの第２の弾性部材は、低反発ポリウレタンである。したがって、安価な低反発ポリウレタンを前記レバーと前記スイッチ本体の間に介在させてレバーに接続せる低廉な構成により、オンからオフへの変化を遅延させることが可能となる。
【考案の効果】
【００１３】
以上説明したように、本考案に係るマイクロスイッチによれば、回路の複雑化を招くタイマーを用いることなく、スイッチのオンからオフへの変化を遅延させることができる。  また、本考案に係るシュレッダーによれば、コスト的なデメリットを伴うことなく、紙を裁断する回転刃に紙が挟まったままの状態でモータが停止する不具合を解消することができる。
【００１４】
加えて、請求項２及び５に係る考案によれば、第１及び第２の弾性部材を用いる簡易な構成により、スイッチのオンからオフへの変化を遅延させることができる。また、請求項３及び６に係る考案によれば、安価な低反発ポリウレタンをレバーとスイッチ本体の間に介在させてレバーに接続せる簡易かつ低廉な構成により、安価にオンからオフへの変化を遅延させることが可能なマイクロスイッチを提供することができる。
【考案を実施するための最良の形態】
【００１５】
以下、本考案の一実施の形態を図に従って説明する。すなわち、図１に示すように、マ本実施の形態に係るマイクロスイッチ１は、モールド成形されたボディ２を備え、このボディ２の上面であって一端部側には摺動子３が遊嵌されているとともに、斜状に延在するレバー４の一端部が固定されている。レバー４は上下方向に回動自在であって自由端部４ａを有し、基部下面が前記摺動子３の上端に接触した状態で斜状に延在している。
【００１６】
ボディ２の上面であって他端部側には、一側部側よりも低い段部２ａが形成されている。この段部２ａとレバー４間には、遅延手段としての遅延用弾性部材５が配置されている。該遅延用弾性部材５は、低反発ポリウレタンからなり、自身の粘性により段部２ａとレバー４の下面とに接続している。また、ボディ２の一方の側面には、一対の端子６、７が突設されている。
【００１７】
一方、図２に示すように、ボディ２の内部には一端部をボディ２の一方の側壁に固定されて水平方向に延びる可動子８が配置されている。該可動子８は可撓性を有する金属板からなり、先端部には下方に屈曲された押圧部８ａが設けられ、中途部に一部を切り起こして斜め上方に屈曲された可動ばね８ｂが設けられているとともに、開口部８ｃが設けられている。可動ばね６ｂは、前記摺動子３の下端部に当接しており、これにより摺動子３は突出する方向に付勢されている。
【００１８】
さらに、ボディ２の内部には前記端子６に一端部を結合された端子ばね９が設けられており、該端子ばね９の他端部上面に、前記押圧部８ａが当接している。また、該端子ばね９は、前記可動ばね８ｂよりも遙かにばね定数が大きく柔軟であって、自由端部側の下面には可動接点１０が突設されている。一方、前記端子７はボディ２の底面に沿って配索され、前記可動接点１０と対向する部位に固定接点１１が突設されている。
【００１９】
なお、前記遅延用弾性部材５の時定数は、可動ばね８ｂの時定数よりも大きく、図４に示した可動ばね８ｂが開口部８ｃ内に位置する下限状態から、図２に示した初期状態に復帰するまでに要する時間を遅延させ得る弾性特性を有している。
【００２０】
以上の構成に係る本実施の形態において、図３（Ａ）に示す初期状態では、図２に示したように、可動ばね８ｂが斜状に延在して摺動子３を突出する方向に付勢し、この摺動子３の上端部によりレバー４は支持されているとともに、遅延用弾性部材５は膨張した状態にある。この状態から、レバー４の自由端部４ａを押下すると、遅延用弾性部材５が収縮するとともに、摺動子３が下動して、その下端部にて可動ばね８ｂを押圧する。すると、可動ばね８ｂが下方に変形するとともに、可動子８が下方に回動変位し、押圧部８ａにて端子ばね９の自由端部を押圧する。これにより、端子ばね９が下方に回動変位し、図４に示すようにレバー４がほぼ水平状態になると、可動接点１０が固定接点１１に接触して、当該マイクロスイッチ１がオンとなる。
【００２１】
次に、レバー４に対する自由端部４ａの押下やめてこれを開放すると、可動ばね８ｂは上方に変位して初期位置に復帰し始める。しかし、端子ばね９のばね定数は可動ばね８ｂのそれよりも遙かに大きいことから、図４に示すように、可動ばね８ｂが上方に変位し始めても端子ばね９は押圧部８ａにより押圧された状態を維持し、可動接点１０は固定接点１１に接触した状態を維持し、しかる後に図１に示した初期位置に復帰する。
【００２２】
このとき、可動ばね８ｂの上方への復帰は、遅延用弾性部材５によってレバー４及び摺動子３を介して抑制され、レバー４は遅延用弾性部材５が存在しない場合よりも低下した速度で初期位置方向に回動する。したがって、図３に示した押下状態から押下を開放して、図４の中途状態となるまでオン状態が維持され、これによりオンからオフへの変化時におけるヒステリシスが遅延制御される（図３（Ｆ）のタイムチャート参照）。よって、マイクロスイッチ１スイッチのオンからオフへの変化が図３（Ｆ）に示す遅延時間Ｔをもって遅延し、回路の複雑化を招くタイマーを用いることなく、スイッチのオンからオフへの変化を遅延させることができる。
【００２３】
しかして、以上に説明したマイクロスイッチ５１は、図６（Ａ）に示すように、例えばシュレッダーにおいて紙５８を検知するためのスイッチとして用いられる。同図において、５９、６０は紙裁断用の刃であり、マイクロスイッチ５１によりオン・オフ制御される図外のモータにより駆動される。
【００２４】
そして、同図（Ｂ）に示すように、紙５８がマイクロスイッチ５１のレバー５４に接触してこれがオンとなると、モータが回転を開始して刃５９、６０が回転駆動され、図７（Ａ）に示すように、紙５８が裁断されていく。しかし、同図（Ｂ）に示すように、紙５８がレバー５４上を通過し終わっても、マイクロスイッチ１はオフとなることなく、暫くはオン状態を維持し、よってモータ及び刃５９、６０も停止することなく回転を継続する。そして、図８に示すように、紙５８が刃５９、６０間に残存することなく、完全に裁断して除去されると、マイクロスイッチ１がオフとなって、モータへの電流が遮断され刃５９、６０の回転も停止する。
【００２５】
したがって、カム機構を設けたり、タイマーを用いてモータのオフを遅延させることによる、コスト的なデメリットや回路の複雑化を招くことなく、刃５９、６０間に紙５８が挟まったままの状態でモータが停止してしまう不具合の発生を解消することができる。
【００２６】
なお、マイクロスイッチ１の前記遅延時間Ｔは、当該マイクロスイッチ１の内部構造を変更することなく、遅延用弾性部材５の時定数や厚みをチューニングすることにより、容易に設定変更することができる。
【図面の簡単な説明】
【００２７】
【図１】本考案の一実施の形態にかかるマイクロスイッチの斜視図である。
【図２】同マイクロスイッチの初期状態における垂直断面図である。
【図３】（Ａ）〜（Ｅ）は、同マイクロスイッチの変化遷移図、（Ｆ）は対応するタイミングチャートである。
【図４】同マイクロスイッチのオン状態における垂直断面図である。
【図５】同マイクロスイッチのオンからオフへの遷移中途状態における垂直断面図である。
【図６】（Ａ）は同マイクロスイッチをシュレッダーに用いた場合の模式図、（Ｂ）は同マイクロスイッチのオン状態を示す模式図である。
【図７】図６（Ｂ）に続く遷移図である。
【図８】図７（Ｂ）に続く遷移図である。
【図９】（Ａ）〜（ｄ）は、従来のマイクロスイッチの変化遷移図、（Ｅ）は対応するタイミングチャートである。
【図１０】（Ａ）は従来のマイクロスイッチをシュレッダーに用いた場合の模式図、（Ｂ）は同マイクロスイッチのオン状態を示す模式図である。
【図１１】図１０（Ｂ）に続く遷移図である。
【符号の説明】
【００２８】
１    マイクロスイッチ
２    ボディ
２ａ    段部
３    摺動子
４    レバー
４ａ    自由端部
５    遅延用弾性部材
６    端子
８    可動子
８ａ    押圧部
８ｂ    可動ばね
８ｃ    開口部
１０    可動接点
１１    固定接点
【図１】
0003107551.tif 000003
【図２】
0003107551.tif 000004
【図３】
0003107551.tif 000005
【図４】
0003107551.tif 000006
【図５】
0003107551.tif 000007
【図６】
0003107551.tif 000008
【図７】
0003107551.tif 000009
【図８】
0003107551.tif 000010
【図９】
0003107551.tif 000011
【図１０】
0003107551.tif 000012
【図１１】
0003107551.tif 000013